(57)【要約】【課題】  補正の指定を行う操作者と実際に補正処理を行う操作者とが異なる場合でも、複数の補正処理の種別に対応した漏れのない補正作業を行うことを可能とする。【解決手段】  画像データ内における一又は複数の補正領域と前記各補正領域に対する補正処理の種別とを補正領域指定画面(ステップＳ２０１)上で設定し、設定内容に基づいて、各補正領域に対応する補正処理用の画面（ステップＳ２０４）を表示手段上に表示させる。【選択図】  図２
2006222563.tif 000002
【特許請求の範囲】
【請求項１】
指定操作に応じて、画像データ内における一又は複数の補正領域と前記各補正領域に対する補正処理の種別とを設定する設定手段と、
前記設定手段にて設定された前記各補正領域と前記補正処理の種別との対応付けを記録する記録手段と、
前記記録手段における記録内容に基づいて、前記各補正領域に対応する補正処理用の画面を表示手段上に表示させる表示制御手段とを有することを特徴とする画像処理装置。
【請求項２】
前記補正処理用の画面には、該当する補正領域の拡大表示画面が含まれることを特徴とする請求項１に記載の画像処理装置。
【請求項３】
前記表示制御手段は、前記各補正領域に対応する前記補正処理用の画面を順次表示することを特徴とする請求項１又は２に記載の画像処理装置。
【請求項４】
前記表示制御手段は、前記設定手段による設定結果を示す設定画面を前記表示手段上に表示させることを特徴とする請求項１に記載の画像処理装置。
【請求項５】
前記設定画面上では、前記各補正領域を示す情報が表示されることを特徴とする請求項４に記載の画像処理装置。
【請求項６】
前記設定画面上では、前記各補正領域の補正処理の種別を示す情報が更に表示されることを特徴とする請求項５に記載の画像処理装置。
【請求項７】
前記表示制御手段は、前記補正処理用の画面とともに前記設定画面を表示することを特徴とする請求項４乃至６の何れか１項に記載の画像処理装置。
【請求項８】
前記設定画面上では、現在補正処理中の補正領域を他の補正領域とは異なる表示態様とすることを特徴とする請求項７に記載の画像処理装置。
【請求項９】
前記表示制御手段は、補正処理が終了した補正領域を非表示にすることを特徴とする請求項７又は８に記載の画像処理装置。
【請求項１０】
前記設定画面上では、複数の補正領域が互いに重畳する場合、前記複数の補正領域を合成した合成補正領域を表示することを特徴とする請求項７乃至９の何れか１項に記載の画像処理装置。
【請求項１１】
前記複数の補正領域に対応する各補正処理の種別を示す情報が前記合成補正領域について表示されることを特徴とする請求項１０に記載の画像処理装置。
【請求項１２】
前記合成補正領域について表示される前記各補正処理の種別を示す情報は、前記複数の補正領域に対応する補正処理が終了する度に、終了した補正処理の種別を示す情報が消去されることを特徴とする請求項１１に記載の画像処理装置。
【請求項１３】
画像処理装置による画像補正方法であって、
指定操作に応じて、画像データ内における一又は複数の補正領域と前記各補正領域に対する補正処理の種別とを設定する設定ステップと、
前記設定ステップにて設定された前記各補正領域と前記補正処理の種別との対応付けを記録媒体に記録する記録ステップと、
前記記録媒体内の記録内容に基づいて、前記各補正領域に対応する補正処理用の画面を表示手段上に表示させる表示制御ステップとを含むことを特徴とする画像補正方法。
【請求項１４】
請求項１３に記載の画像補正方法をコンピュータに実行させるためのプログラム。
【請求項１５】
請求項１４に記載のプログラムを記録したコンピュータ読み取り可能な記録媒体。
【発明の詳細な説明】
【技術分野】
【０００１】
本発明は、画像データの補正処理を可能とする画像処理装置及び画像補正方法に関するものである。
【背景技術】
【０００２】
店舗等において画像補正を行う際に補正領域を指定する操作者と補正を行う操作者、確認を行う操作者が異なっている場合がある。このような場合に、補正処理を作業の漏れが発生しないようにすることが重要である。通常の補正操作の場合、一人の操作者が補正領域の選択、除去、確認までを行うことを前提として、設計されているため、このような分業作業を行うことは難しい。
【０００３】
また、特許文献１では、１つの補正機能での画像補正の領域指定を行う画面と補正処理を行う画面を分けて、画像補正の領域を指定に従って画像補正を行うことにより、分業作業に対応し、補正処理を漏れなく行う装置についての提案がある。
【０００４】
【特許文献１】特開２０００−５７３６２号公報
【発明の開示】
【発明が解決しようとする課題】
【０００５】
しかしながら、特許文献１に開示される発明は１つの画像補正機能に限ったもので、一度に複数の画像補正機能に対しての補正分業作業に対応していない。
【０００６】
そこで、本発明の目的は、補正の指定を行う操作者と実際に補正処理を行う操作者とが異なる場合でも、複数の補正処理の種別に対応した漏れのない補正作業を行うことを可能とすることにある。
【課題を解決するための手段】
【０００７】
本発明の画像処理装置は、指定操作に応じて、画像データ内における一又は複数の補正領域と前記各補正領域に対する補正処理の種別とを設定する設定手段と、前記設定手段にて設定された前記各補正領域と前記補正処理の種別との対応付けを記録する記録手段と、前記記録手段における記録内容に基づいて、前記各補正領域に対応する補正処理用の画面を表示手段上に表示させる表示制御手段とを有することを特徴とする。
本発明の画像補正方法は、画像処理装置による画像補正方法であって、指定操作に応じて、画像データ内における一又は複数の補正領域と前記各補正領域に対する補正処理の種別とを設定する設定ステップと、前記設定ステップにて設定された前記各補正領域と前記補正処理の種別との対応付けを記録媒体に記録する記録ステップと、前記記録媒体内の記録内容に基づいて、前記各補正領域に対応する補正処理用の画面を表示手段上に表示させる表示制御ステップとを含むことを特徴とする。
本発明のプログラムは、前記画像補正方法をコンピュータに実行させることを特徴とする。
本発明のコンピュータ読み取り可能な記録媒体は、前記プログラムを記録したことを特徴とする。
【発明の効果】
【０００８】
本発明によれば、指定操作に応じて、画像データ内における一又は複数の補正領域と各補正領域に対する補正処理の種別とを設定し、その設定内容に基づいて、各補正領域に対応する補正処理用の画面を表示させるように構成したので、補正の指定を行う操作者と実際に補正処理を行う操作者とが異なる場合でも、複数の補正処理の種別に対応した漏れのない補正作業を行うことが可能となる。
【発明を実施するための最良の形態】
【０００９】
以下、本発明を適用した好適な実施形態を、添付図面を参照しながら詳細に説明する。
【００１０】
＜第１の実施形態＞
先ず、本発明の第１の実施形態について説明する。本実施形態に係る画像補正システムは、赤目除去、ごみ除去、しわ除去の機能を有する。図１は、本実施形態に係る画像補正システムの全体構成を示す図である。
【００１１】
図１において、１０１は画像入力装置であり、画像をデジタルデータとして読み込む装置である。これには、スキャナ、ＰＣカード、フレキシブルディスク、ＭＯ、ＺＩＰドライブなどが含まれる。
【００１２】
１０２は、画像補正を行う本アプリケーションプログラムを実行するコンピュータであり、これには、一時的に画像データや、画像情報その他、動作時の計算結果などを保管するＲＡＭや、ハードディスクのような外部記憶装置を含むものとする。
【００１３】
１０３は、画像処理や画面操作などのコマンドを入力する入力装置であり、例えばキーボードや、マウス（いずれも非図示）等が適用される。
【００１４】
１０４は、表示装置であり、画像処理結果やアプリケーション画面を表示する装置であり、ディスプレイが含まれる。
【００１５】
１０５は、出力装置であり、本アプリケーションで補正を行った後、画像出力を行うためのものであり、インクジェットプリンタ、ＬＢＰなどの出力装置が適用可能である。
【００１６】
図２は、本発明の第１の実施形態における画像補正アプリケーションの画面遷移の流れを示すフローチャートである。
【００１７】
ステップＳ２０１は、補正領域指定画面であり、この画面を用いて複数種類の補正機能の領域設定を行うことが可能である。ステップＳ２０２〜ステップＳ２０５のループはステップＳ２０１で指定された補正処理の回数繰り返される。ステップＳ２０４は除去処理画面であり、ステップＳ２０１で指定された補正処理の１つについて除去を行う。除去処理画面はそれぞれの補正機能に固有のものであり、現在対象の補正種別の除去処理画面が表示される。ステップＳ２０５では次の補正処理へシフトを行い、補正処理がなくなれば（ステップＳ２０２／ｙｅｓ）、ステップＳ２０６の印刷画面に移り、印刷を行うと終了となる。
【００１８】
図３は、本発明の第１の実施形態におけるアプリケーションの表示画面を示す図である。３０１は補正対象の画像を表示する補正対象表示領域である。３０２、３０３、３０４は本アプリケーションの補正メニューボタンであり、それぞれ赤目除去メニューボタン３０２、ごみ除去メニューボタン３０３、しわ除去メニューボタン３０４である。３０５は１つ１つの補正に対してコメントを入力するエディットボックスであり、例えば、"お客様の指示"や、"オペレータが発見"等の補正に関する備考的なものを入力しておく。３０６は次画面ボタンであり、補正領域を全て指定が終了した際は除去画面に移る。
【００１９】
図４は補正処理がごみ除去処理の場合の除去処理画面を示す図である。
４０１は補正メニューボタンであり、現在はごみ除去メニューボタンが選択され、強調表示されている。４０２は補正対象の領域を拡大表示するウインドウであり、補正領域指定画面で指定された領域が拡大表示される。４０３はごみ除去の機能メニューであり、３つのブラシボタン（太、中、細）４０４より構成されている。４０５はコメント用のエディットボックスであり、現在の補正に関するコメントが表示される。４０６は次処理ボタンであり、このボタンを選択すると現在の補正を確定して、次の処理へ画面が変わる。
【００２０】
図５は、補正処理が赤目除去の場合の除去処理画面を示す図である。
５０１は補正機能のメニューボタンであり、現在は赤目除去メニューボタンが選択され、強調表示されている。５０２は補正対象の領域を拡大表示するウインドウであり、補正領域指定画面で指定された領域が拡大表示される。５０３は赤目除去の機能メニューであり、３つのブラシボタン（太、中、細）５０４と除去後の色味を調整するスライダバー５０５より構成されている。５０６はコメント用のエディットボックスであり、現在の補正に関するコメントが表示される。５０７は次処理ボタンであり、このボタンを選択すると現在の補正を確定して次の処理へ画面が変わる。
【００２１】
図６は、補正処理がしわ除去の場合の除去処理画面を示す図である。
６０１は補正機能のメニューボタンであり、現在はしわ除去メニューボタンが選択され、強調表示されている。６０２は補正対象の領域を拡大表示するウインドウであり、補正領域設定画面で指定された領域が拡大表示される。６０３はしわ除去の機能メニューであり、線指定ボタン６０４と除去の強度を調整するスライダバー６０５より構成されている。６０６はコメント用のエディットボックスであり、現在の補正に関するコメントが表示される。６０７は次処理ボタンであり、このボタンを選択すると現在の補正を確定して次の処理へ画面が変わる。
【００２２】
次に図２〜１１を用いてアプリケーションの操作の流れを説明する。
アプリケーションを起動すると、補正対象の画像が読み込まれ、補正領域指定画面（ステップＳ２０１）が表示される。この状態で補正対象の画像が図３の３０１の補正対象表示領域に表示される。補正領域の指定を行う操作者はこの画面にて、補正処理の種類と補正時に拡大表示する領域、補正に対するコメントの入力を行う。
【００２３】
次に、図７を用いて補正領域指定の操作を説明する。
まず、操作者は補正機能を補正メニューボタン７０１〜７０３より選択する。例えば、ごみ除去メニューボタン７０２を選択した場合、カーソル(不図示)を補正対象画像表示領域７０４上に移動し、ごみ７０６のある部分でクリックをする。すると、図８に示すアルゴリズムにより、ごみ領域と拡大表示するための領域が計算されて矩形７０５が表示され、補正処理の種類がすぐに分かるように補正種別マーカ７０７が矩形付近に表示される。
【００２４】
次に、図８のアルゴリズムに関して説明を行う。
ここでのごみは輝度方向で背景画素に対して異差があることを前提とする。ステップＳ８０１では選択された位置を中心に所定の画素数の矩形を切り取る。この部分画像に対して、輝度、色差成分の色空間、例えばＬａｂ空間に分解をする（ステップＳ８０２）。この分解した輝度Ｌのチャネルに関して、ヒストグラムのストレッチを行い、ごみ部分と背景部分のコントラストをあげる（ステップＳ８０３）。この画像に関し、選択した位置は明らかにごみ部分であると仮定して、この位置の画素値を取得し(ステップＳ８０４)、選択した位置を始点に所定の閾値で領域の抽出を行い、マスクデータを作成する（ステップＳ８０５）。次に、補正領域の矩形サイズをこのマスクデータを走査して、確定する（ステップＳ８０６）。この領域にさらにマージンを付加して、表示領域とする（ステップＳ８０７）。このほかに、赤目除去、しわ除去に関しても同様の操作により、補正領域の設定を行う。
【００２５】
赤目除去に関しては図９に示す。選択された点近傍の所定の領域の画素を取得し(ステップＳ９０１)、これについて検出を行う。切り出した領域をＨＳＬに分離を行う(ステップＳ９０２)。色相と彩度で閾値を設け、赤目の候補領域を抽出し（ステップＳ９０３）、こられの候補領域を２値化して（ステップＳ９０４）、円形度の評価を行い（ステップＳ９０５）、最終的に赤目部分のマスクを生成する（ステップＳ９０６）。次に、補正領域の矩形サイズを、マスクデータを走査して確定する（ステップＳ９０７）。この領域にさらにマージンを付加して、拡大表示領域とする（ステップＳ９０８）。
【００２６】
しわ除去に関しては図１０に示す。選択された点近傍の所定の領域の画素を取得し（ステップＳ１００１）、これについて検出を行う。切り出した領域をＬａｂ空間に分離を行う（ステップＳ１００２）。Ｌチャネルについてコントラストとガンマを調整し、しわの部分の強調を行い（ステップＳ１００３）、２値化してしわ除去のためのマスクを作成する（ステップＳ１００４）。
【００２７】
次に、補正領域の矩形サイズをマスクデータを走査して、矩形領域を確定する（ステップＳ１００５）。この領域にさらにマージンを付加して、拡大表示領域とする（ステップＳ１００６）。
【００２８】
以上説明したアルゴリズムにより検出を行い、拡大領域と処理の種別を画像上に表示を行う。これをそれぞれの処理が必要な回数繰り返す。
【００２９】
例えば、ごみ除去、赤目除去、しわ除去を１つずつ選択した場合の結果を図７に示す。この状態でのデータ構造を図１１に示す。図７中の補正処理１、２、３として、ごみ除去、赤目除去、しわ除去が設定されている。一つに補正処理に関して、拡大位置、除去機能の種別、コメント、ステータスを保持してある。
【００３０】
補正領域の指定が全て終わった場合は、次画面ボタン（図３の３０６）を選択し、補正領域指定画面（図３）を終了し、除去処理画面（図２のステップＳ２０４）に移る。この時点で、補正領域指定データが図７、図１１のようになっている場合の処理に関して説明を行う。
【００３１】
図１１の補正処理データの構造はごみ除去、赤目除去、しわ除去の順に管理されているので、図４のごみ除去の画面が表示される。このとき、拡大表示領域を補正処理データに従ってウインドウ４０２上に拡大表示を行う。
【００３２】
補正の種別はごみ除去であるので、補正メニューボタン４０１でごみ除去が強調表示されると共に、ごみ除去の機能メニュー４０３が同時に表示されてごみ除去が可能となる。ここで、操作者はブラシボタン４０４のうち１つを選択し、ごみ部分でドラッグして選択を開始し、選択が終了するとともに除去処理が開始される。
【００３３】
除去処理のアルゴリズムは、まずブラシボタン４０４で選択された領域のマスクを作成する。そして、そのマスクの内で、５＊５等のメディアンフィルタを掛けてごみの除去を行う。このようにして、ごみの除去が終了したら、次処理ボタン４０６を選択し、次の処理に移る。
【００３４】
図１１の補正処理データでは、次の処理として赤目除去が管理されているので、図５の赤目除去の画面が表示される。図５の画面はごみ除去の画面で、５０１で赤目機能のメニューボタンを強調表示し、赤目除去の機能メニュー５０３が表示されたものである。図１１の補正処理データの赤目除去の拡大領域に従って画像を拡大し、補正対象表示領域であるウインドウ５０２上に表示する。
【００３５】
この画面では操作者はブラシボタン５０４を選択し、５０２上の赤目の部分をドラッグして塗りつぶす。すると、塗りつぶした部分の彩度を落とし、色相を変化させて赤目の除去が行われる。なお、５０５の色味の調整スライダバーを調整することにより、この色相を変化させることができる。赤目除去の処理が終了したら、次処理ボタン５０７を選択して次の処理を行う。
【００３６】
図１１の補正処理データでは、次の処理としてしわ除去が管理されているので、図６のしわ除去の画面が表示される。この画面も赤目除去同様に６０１でしわ除去メニューボタンを強調表示し、しわ除去の機能メニュー６０３が表示されたものである。
【００３７】
図１１の補正処理データのしわ除去の拡大領域に従って画像を拡大し、補正対象表示領域６０２に表示する。この画面では操作者は直線ツール６０４を用いて始点と終点をクリックすることにより、しわ除去を行う。
【００３８】
しわ除去のアルゴリズムはごみ傷と同様であり、直線ツール６０４で選択した領域のマスクを作成し、選択領域に対してメディアンフィルタを掛ける。ただし、しわを完全に除去してしまうと誇張しすぎる場合があるので、強度の調整のスライダバー６０５で補正前の画像とのαブレンドを行い、除去具合を調整することができる。
【００３９】
このような流れで処理を補正領域数分繰り返し、補正領域がなくなった場合は、次処理ボタン６０７を選択すると印刷画面（ステップＳ２０６）に移り、印刷の設定を行って印刷を実行する。
【００４０】
以上説明したように作業を行うことにより、補正領域指定画面（ステップＳ２０１）、除去処理画面（ステップＳ２０４）での操作者が違った場合でも、補正処理データに従い、１つずつ、補正種別、拡大表示位置に従い、拡大表示し、処理機能を変更するので、簡単且つ処理の漏れがなく全ての補正処理を行うことができる。
【００４１】
なお、本実施形態では、補正機能をごみ傷、赤目除去、しわ除去のみを実装した場合について説明を行ったが、例えば、一部の領域を選択して色調整、シャープネス、ぼかしを掛けるような機能を追加しても良い。また、領域を選択する補正処理ではなく、画像全体に対する色調整なども、表示領域を画面全体として、画面の右下に補正のマーカを付加することにより、同様に扱える。
【００４２】
また、本実施形態では、赤目、ごみ傷、しわ除去に関して設定をした順に補正データを並べたが、これは処理ごとにソートを行うことも可能である。一部の補正処理では、補正順が重要になる場合もある。例えば、色ノイズ除去、ごみ除去、赤目除去、色補正の順序等とするようにしても良い。
【００４３】
また、本実施形態で述べた、赤目除去、しわ除去、ごみ除去の検出部分、除去部分は他のアルゴリズムを用いてもよい。また、本実施形態では、表示領域の算出に際して、領域検出を用いたが、例えば、補正機能のボタンを選択後、矩形領域を囲む操作をマウスで行い、領域を指定する方法も可能である。
【００４４】
また、さらに構成を簡単にして、補正領域指定画面にて拡大縮小機能を設け、補正種別を選択して、画面上を選択した際の表示されている領域を補正処理の際の拡大表示領域としてもよい。
【００４５】
次に、本発明の第２の実施形態について説明する。本発明の第２の実施形態は除去処理画面（ステップＳ２０４）の画面構成を変更して、補正対象の画像全体を表示しながら補正処理を行うことができるように構成した。
【００４６】
図１２に除去処理画面の構成を示す。１２０１は除去処理対象画像表示領域であり、除去処理の対象画像を表示する。この表示は図２のステップＳ２０１の補正領域指定画面と同様になっている。
【００４７】
１２０２は現在処理の対象となっている拡大領域を表示する。１２０３は処理に対するコメント欄であり、１２０４は現在処理の対象となっている補正データに対する補正機能が表示される。現在はごみ除去であるので、ごみ除去のツールが表示されている。
【００４８】
操作者は画面全体を見ながら、処理領域を拡大した状態で補正処理ができ、円滑に作業を進めることができる。なお、次処理ボタン１２０５を選択したときに、補正が完了した矩形を非表示にし、残りの除去作業がどの程度あるかを表示してもよい。また、現在補正中の処理領域を１２０１の表示領域で強調表示して、現在どの部分の補正が行われているか分かるようにしても良い。また、複数の補正領域を指定していると矩形同士が重なってしまう場合がある。このような際に、表示を簡単化するために、拡大領域の矩形を合成することが有効である。
【００４９】
図１２において、しわ除去の拡大領域と赤目除去の拡大領域が重なっている。そこで、図１３に示すように２つの矩形を含む領域に合成をし、マーカを２つ並べて表示するようにする。これにより、表示が分かりやすくなり、処理作業の際に、拡大表示領域が処理毎に完全に別であるために、頻繁に領域が変わってしまうことを防ぎ、操作者にストレスなく、補正処理を進めることができる。
【００５０】
除去処理が完了したものに関しては、図１４に示すように他の処理が残っている場合は、終了した処理のマーカのみを消去し、処理状況を把握しやすいようにしてもよい。
【００５１】
以上のように、補正領域指定画面で補正種別と拡大表示領域をそれぞれ複数処理、指定し、この補正データにより、1つの処理ごとに除去処理画面で補正種別による補正モードで、領域を拡大表示して除去処理を行い、これを情報数繰り返して処理することにより、補正の指定を行う操作者と除去処理を行う操作者が違った場合も除去処理を簡単に漏れなく行うことができる。
【００５２】
また、除去画面にて補正対象画像と現在処理中の領域拡大表示を同時に行い、現在除去している領域を強調表示し、除去された処理のマーカと矩形を非表示にすることにより、どの部分を除去していて、残りどの程度の作業があるかが一目でわかる。
【００５３】
また、複数の補正領域の矩形が近い場合は、矩形を合成して、処理マーカを複数、矩形近傍に表示することにより、拡大処理の回数を減らし、円滑に処理を進めると同時に、拡大表示領域が頻繁に変わることを防ぎ、操作者に作業上の負荷が掛かることを防ぐことができる。
【００５４】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５５】
この場合、記憶媒体から読み出されたプログラムコード自体が前述した実施形態の機能を実現することになり、プログラムコード自体及びそのプログラムコードを記憶した記憶媒体は本発明を構成することになる。
【００５６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００５９】
【図１】本発明の実施形態に係る画像補正システムの全体構成を示す図である。
【図２】本発明の第１の実施形態における画像補正アプリケーションの画面遷移の流れを示すフローチャートである。
【図３】本発明の第１の実施形態におけるアプリケーションの表示画面を示す図である。
【図４】補正処理がごみ除去処理の場合の除去処理画面を示す図である。
【図５】補正処理が赤目除去の場合の除去処理画面を示す図である。
【図６】補正処理がしわ除去の場合の除去処理画面を示す図である。
【図７】ごみ除去、赤目除去、しわ除去を１つずつ選択した場合の結果を示す図である。
【図８】ごみ領域と拡大表示するための領域を表示するためのアルゴリズムを示す図である。
【図９】赤目除去と拡大表示するための領域を表示するためのアルゴリズムを示す図である。
【図１０】しわ除去と拡大表示するための領域を表示するためのアルゴリズムを示す図である。
【図１１】ごみ除去、赤目除去、しわ除去を１つずつ選択した場合の管理データ構造を示す図である。
【図１２】本発明の第２の実施形態における除去処理画面の構成を示す図である。
【図１３】矩形の合成例を示す図である。
【図１４】終了した処理のマーカを消去した例を示す図である。
【符号の説明】
【００６０】
１０１  画像入力装置
１０２  コンピュータ
１０３  入力装置
１０４  表示装置
１０５  出力装置
３０１、４０２、５０２、６０２、７０４  補正対象画像表示領域
３０２〜３０４、４０１、５０１、６０１、７０１〜７０３  補正メニューボタン
３０５、４０５、５０６、６０６、７１２  エディットボックス
３０６、４０６、５０７、６０７、７１３  次画面ボタン
４０３  ゴミ除去の機能メニュー
４０４、５０４  ブラシボタン
５０３  赤目除去の機能メニュー
５０５、６０５  スライダバー
６０３  しわ除去の機能メニュー
６０４  線指定ボタン
７０５、７０９、７１１  矩形
７０６  ごみ
７０７、７０８、７１０  補正種別マーカ
【図１】
2006222563.tif 000003
【図２】
2006222563.tif 000004
【図３】
2006222563.tif 000005
【図４】
2006222563.tif 000006
【図５】
2006222563.tif 000007
【図６】
2006222563.tif 000008
【図７】
2006222563.tif 000009
【図８】
2006222563.tif 000010
【図９】
2006222563.tif 000011
【図１０】
2006222563.tif 000012
【図１１】
2006222563.tif 000013
【図１２】
2006222563.tif 000014
【図１３】
2006222563.tif 000015
【図１４】
2006222563.tif 000016